(57)【要約】【課題】本発明は、従来のハニカム巻きコイルと荷姿（内径、外径、幅）を同じにしたままで、巻き線の引出し性を良好にし、かつ、巻取り及び巻戻し時の段取作業の回数を削減できると共にコイルの保管場所を省スペース化することができる二層ハニカム巻き鋼より線コイル及びその巻取機を提供する。【解決手段】鋼より線をボビンに巻取るリールレスコイルにおいて、コイルの下積層部が、巻き間隔を密にして、巻き線が積層交差するハニカム巻きであり、上積層部が、巻き間隔の粗い巻き線が積層交差するハニカム巻きであることを特徴とする二層ハニカム巻き鋼より線コイル。【選択図】図１
2016222427.tif 000002
【特許請求の範囲】
【請求項１】
鋼より線をボビンに巻取るリールレスコイルにおいて、コイルの下積層部が、巻き間隔を密にして、巻き線が積層交差するハニカム巻きであり、上積層部が、巻き間隔の粗い巻き線が積層交差するハニカム巻きであることを特徴とする二層ハニカム巻き鋼より線コイル。
【請求項２】
前記下積層部のハニカム巻きの巻き方が、巻き線とボビンの径方向とのなす綾角を、０°〜４．８°の範囲、前記上積層部のハニカム巻きの巻き方が、前記綾角を、４．９°〜１０°の範囲とすることを特徴とする請求項１に記載の二層ハニカム巻き鋼より線コイル。
【請求項３】
前記上積層部と前記下積層部の重量割合が、上積層部の重量が全体の５％〜３０％、残りが下積層部の重量であることを特徴とする請求項１又は２に記載の二層ハニカム巻き鋼より線コイル。
【請求項４】
前記鋼より線が、２．９ｍｍ径３本よりの鋼より線であって、前記コイルの外形寸法が、外径１，１００ｍｍ±１０％、内径約７５０ｍｍ±１０％、幅約７５０ｍｍ±２０％であることを特徴とする請求項１又は２又は３に記載の二層ハニカム巻き鋼より線コイル。
【請求項５】
前記鋼より線を巻取る回転ボビンと、該鋼より線を該回転ボビンの胴幅方向に対して往復動して綾振るトラバーサリングと、該トラバーサリングを往復動させるトラバーサ駆動機構と、を備え、該回転ボビンの回転速度と該トラバーサリングの往復動速度とを連動して相対的に可変できる回転駆動装置を設けると共に、該トラバーサリング駆動機構が、該トラバーサリングの往復動の速度パターンを定速化することを特徴とする二層ハニカム巻き鋼より線巻取機。
【請求項６】
前記トラバーサリング駆動機構が、前記トラバーサリングを固接したトラバーサレバーと、該トラバーサレバーと連結したコンロッドと、該コンロッドの他端とカムフォロワとを連結したクランクアームを回転させるクランク軸と、該クランク軸の回転速度を変速する変速機構と、を備え、該カムフォロワが菱型形状の固定カムの菱型溝内を遊動することにより、該カムフォロワに該コンロッドを介して連結した該トラバーサレバーを揺動させて該トラバーサリングを該回転ボビンの胴幅方向に対して一定速度で往復動して綾振りさせることを特徴とする請求項５に記載の二層ハニカム巻き鋼より線コイル巻取機。
【請求項７】
前記回転駆動装置が、可変速の油圧又は電動の駆動モータの出力を二つに分割して、一つは前記回転ボビンを駆動し、他の一つは前記トラバーサ駆動機構にある前記変速機構の入力軸に連結されることを特徴とする請求項６に記載の二層ハニカム巻き鋼より線コイル巻取機。
【発明の詳細な説明】
【技術分野】
【０００１】
本発明は、鋼より線を巻いたリールレスコイルであって、従来のハニカム巻きコイルと比べて、荷姿（内径、外径、幅）を同じにしたままで、１巻き当たりのコイル重量を大きくしても、線引き出し性を良好に保ち、巻取り時および引き出し使用時の段取作業の回数を削減できると共にコイルの保管場所を省スペース化することができる二層ハニカム巻き鋼より線コイル及びその巻取機に関するものである。
【背景技術】
【０００２】
鋼より線のコイルには、コイルの内側から鋼より線を引き出して使用する構造のリールレスコイルがある。使用する際は、コイルの内側から順次鋼より線が引き出されるので、コイルの厚みは徐々に薄くなっていく。従来、コイルの径方向に対して綾角を設け、鋼より線の巻き間隔を粗く交差積層して巻きつけるハニカム巻きと呼ばれる巻き方を用いることによって、コイルの厚みが薄くなる使用終盤においても、安定したコイル形状を保ち続けることができるようになり、コイルの最後まで作業効率を落とさずに使用することができる。
【０００３】
一方、普通巻き（整列巻き）と呼ばれコイルの中心軸に対してほぼ直角で間隔を密にして巻く方法があり、この普通巻きを用いると、コイルの厚みが薄くなった使用終盤に、コイルが自立せずに倒れたりして、引き出す鋼より線が引掛ったりして、引き出し作業を中断しなければならない事態が発生し、それを修正するための時間が必要となって、作業効率が低下していた。
【０００４】
例えば、線条材の繰り出し方法およびその装置の発明では、巻きコイル自体が回転しないコイルにおいて、巻線形状が不適当な場合には、引掛りを生じることが記載されている（参考文献１）。
【先行技術文献】
【特許文献】
【０００５】
【特許文献１】特開２０００−１８５８７４号公報（〔０００３〕表１）
【発明の概要】
【発明が解決しようとする課題】
【０００６】
しかしながら、ハニカム巻きは、鋼より線の巻き間隔を粗く交差積層して巻くために、鋼より線の充填率が低くなり、コイルの寸法（内径、外径、幅）が同一のものでは、普通巻きのように巻き間隔が密なコイル巻きと比べて、１巻き当たりのコイル重量（コイル単重）は小さくなる。よって、コイル単重が小さいが故に、巻取り及び巻戻しの段取作業の回数が多くなって、作業効率が悪くなるという問題があった。また、容積当りのコイル単重が小さいので、コイルの保管場所のスペースも多く必要となるという問題があった。  
【０００７】
本発明は、これらの問題を解決したものであって、従来のハニカム巻きコイルと荷姿（内径、外径、幅）を同じにしたままで、ハニカム巻きを改良することにより、巻き線の引出し性を良好にし、かつ、巻取り及び巻戻し時の段取作業の回数を削減できると共にコイルの保管場所を省スペース化することができる二層ハニカム巻き鋼より線コイル及びその巻取機を提供するものである。
【課題を解決するための手段】
【０００８】
本発明の請求項１に係る二層ハニカム巻き鋼より線コイルは、鋼より線をボビンに巻取るリールレスコイルにおいて、コイルの下積層部が、巻き間隔を密にして、巻き線が積層交差するハニカム巻きであり、上積層部が、巻き間隔の粗い巻き線が積層交差するハニカム巻きであることを特徴とする。
【０００９】
請求項２に係る二層ハニカム巻き鋼より線コイルは、請求項１に記載の二層ハニカム巻き鋼より線コイルにおいて、前記下積層部のハニカム巻きの巻き方が、巻き線とボビンの径方向とのなす綾角を０°〜４．８°の範囲、前記上積層部のハニカム巻きの巻き方が、前記綾角を、４．９°〜１０°の範囲とすることを特徴とする。
【００１０】
請求項３に係る二層ハニカム巻き鋼より線コイルは、請求項１又は２に記載の二層ハニカム巻き鋼より線コイルにおいて、前記上積層部と前記下積層部の重量割合が、上積層部の重量が全体の５％〜３０％、残りが下積層部の重量であることを特徴とする。
【００１１】
請求項４に係る二層ハニカム巻き鋼より線コイルは、請求項１又は２又は３に記載の二層ハニカム巻き鋼より線コイルにおいて、前記鋼より線が、２．９ｍｍ径３本よりの鋼より線であって、前記コイルの外形寸法が、外径１，１００ｍｍ±１０％、内径約７５０ｍｍ±１０％、幅約７５０ｍｍ±２０％であることを特徴とする。
【００１２】
本発明に係る二層ハニカム巻き鋼より線コイルは、リールレスコイルなので、下積層部（コイルの内側部）から上積層部（コイルの外側部）に向かって鋼より線が引き出されて使用される。また、本発明に係る二層ハニカム巻き鋼より線コイルは、使用の序盤から中盤にかけて使用される下積層部（コイルの内側部）と、終盤に使用される上積層部（コイルの外側部）とで、鋼より線のハニカム巻きの巻き間隔が異なっている。即ち、コイルの下積層部では、ハニカム巻きの綾角（コイルの軸に直角な線に対する鋼より線の巻かれる角度）を０°に近くなるようにしているので巻き間隔が密になっており、コイルの上積層部では、ハニカム巻きの綾角を大きくしているので、巻き間隔が粗くなっている。
【００１３】
この構成を採用することにより、本発明に係る二層ハニカム巻き鋼より線コイルは、コイルの寸法（内径、外径、幅）が、従来のコイルの寸法と同一寸法であっても、下積層部では、鋼より線の重量（長さ）をより大きく確保するすることができると共に、終盤に使用される上積層部では、ハニカム巻きの層が薄くなっても、コイルの型が崩れず、また引き出す鋼より線が引掛ったりしないので、引き出し作業を中断することがない。よって、同じ寸法の従来のコイルよりもコイル単重（即ち、鋼より線の長さ）が大きいので、引き出し作業の段取りの回数を減らせると共に、コイル総重量あたりの保管場所の面積を小にすることができ、省スペース化ができる。また、コイルの梱包資材も節約することができる。
【００１４】
また、ハニカム巻き鋼より線コイルに関して、線の引出し性を良好にし、かつ、同一容積でコイル単重を大きくするために鋭意実験研究した結果、二層ハニカム巻きの構造で、下積層部の綾角が０°〜４．８°の範囲、上積層部の綾角が４．９°〜１０°の範囲、また、下積層部と上積層部の重量割合は、上積層部の重量が全体の５％〜３０％、残りが下積層部の重量とすることが好適であるとわかった。
【００１５】
また、本発明に係る二層ハニカム巻き鋼より線コイルの荷姿を、外径約１，１００ｍｍ、内径約７５０ｍｍ、幅約７５０ｍｍの寸法にすることにより、従来の汎用されているコイルの外形寸法とほぼ同じであるので、鋼より線を加工するための引き出し作業において、従来の引き出し設備や治具が使用できる。よって、本発明に係る二層ハニカム巻き鋼より線コイルを使用する加工業者は、従来の設備等のままで、鋼より線の引き出し作業の段取り回数を減らせて作業効率を上げると共にコイルの保管場所を省スペース化できる。
【００１６】
請求項５に係る二層ハニカム巻き鋼より線コイル巻取機は、前記鋼より線を巻取る回転ボビンと、該鋼より線を該回転ボビンの胴幅方向に対して往復動して綾振るトラバーサリングと、該トラバーサリングを往復動させるトラバーサ駆動機構と、を備え、該回転ボビンの回転速度と該トラバーサリングの往復動速度とを連動して相対的に可変できる回転駆動装置を設けると共に、該トラバーサリング駆動機構が、該トラバーサリングの往復動の速度パターンを定速化することを特徴とする。
【００１７】
請求項６に係る二層ハニカム巻き鋼より線コイル巻取機は、請求項５に記載の二層ハニカム巻き鋼より線コイル巻取機において、前記トラバーサリング駆動機構が、前記トラバーサリングを固接したトラバーサレバーと、該トラバーサレバーと連結したコンロッドと、該コンロッドの他端とカムフォロワとを連結したクランクアームを回転させるクランク軸と、該クランク軸の回転速度を変速する変速機構と、を備え、該カムフォロワが菱型形状の固定カムの菱型溝内を遊動することにより、該カムフォロワに該コンロッドを介して連結した該トラバーサレバーを揺動させて該トラバーサリングを該回転ボビンの胴幅方向に対して一定速度で往復動して綾振りさせることを特徴とする。
【００１８】
請求項７に係る二層ハニカム巻き鋼より線コイル巻取機は、請求項６に記載の二層ハニカム巻き鋼より線コイル巻取機において、前記回転駆動装置が、可変速の油圧又は電動の駆動モータの出力を二つに分割して、一つは前記回転ボビンを駆動し、他の一つは前記トラバーサ駆動機構にある前記変速機構の入力軸に連結されることを特徴とする。
【００１９】
請求項５、請求項６、請求項７に係る二層ハニカム巻き鋼より線コイル巻取機によれば、前記鋼より線を巻取る回転ボビンと、該鋼より線を該回転ボビンの胴幅方向に対して往復動して綾振るトラバーサリングと、該トラバーサリングを固接したトラバーサレバーと、該トラバーサレバーと連結したコンロッドと、該コンロッドの他端とカムフォロワとを連結したクランクアームを回転させるクランク軸と、該クランク軸の回転速度を変速できる変速機構と、該変速機構と該回転ボビンとに回転を分割伝動させる回転駆動装置と、を少なくとも備える鋼より線の巻取り機であって、該カムフォロワが菱型形状の固定カムの菱型溝内を遊動することにより、該カムフォロワに該コンロッドを介して連結した該トラバーサレバーを揺動させて該トラバーサリングを該回転ボビンの胴幅方向に対して一定速度で往復動して綾振りさせること、また、該回転ボビンの回転数の設定を変えると共に相対的に該トラバーサリングの往復動速度の設定を変えることができる。
【００２０】
この場合、ボビンの回転速度を一定にして、トラバーサリングの綾振り速度を速くするとハニカム巻きコイルの巻き間隔は粗くなり、遅くすると巻き間隔は密になる。また、トラバーサリングの綾振り速度を一定にして、ボビンの回転速度を速くすると、ハニカム巻きコイルの巻き間隔は密になり、遅くすると巻き間隔は粗くなる。よって、ボビンの回転速度とトラバーサリングの綾振り速度を変えることによりハニカム巻きの巻き間隔を自由自在に変えることが可能となる。
【００２１】
また、トラバーサリングを固接したトラバーサレバーに連結されるコンロッドの他端はカムフロワーと一緒にクランクアームに連結され、このクランクアームを回転させると、前記カムフロワーは菱型固定カムの菱型溝内を倣い滑走することにより、トラバーサレバーの揺動速度が一定で、かつシャープに折り返すことができ、結果的にトラバーサリングの左右の綾振り速度を一定に、折り返しを鋭くできる。即ち、回転するカムフロワーはクランクアームの軸方向にスライドして往復動する軌跡を描き、これによりコンロッドを介してトラバーサレバーを一定の往復動速度で揺動する。これにより回転ボビンの両端部で、鋼より線が多く巻取られることによって発生するコイルの荷姿が中央部が凹んだ所謂「鼓型形状」となることを防止でき、綺麗な円柱形状のコイルに鋼より線を巻取ることができる。従来のクランクアームとコンロッドを直結した構造の場合、クランク軸の回転により、クランクアームとコンロッドの連結点は円形を描き、コンロッドは一定速度で往復動せず、折り返し点で速度が停滞し、結果的にトラバーサリングが折り返し点で速度が停滞するするので、コイルの巻取り形状が鼓型形状と成り易い。
【００２２】
したがって、本発明の二層ハニカム巻き鋼より線コイル巻取機によれば、鋼より線の巻取りに関して、トラバーサリングの綾振り速度を一定にして、巻取り作業の序盤から中盤までボビンの回転速度を上げて一定に保ち、終盤はボビンの回転速度を下げて一定に保つことによって、コイルの下積層を鋼より線の間隔が密なハニカム巻きに、コイルの上積層を鋼より線の間隔が粗いハニカム巻きの二層ハニカム巻き鋼より線コイルを作製することが可能となる。
【発明の効果】
【００２３】
本発明に係る請求項１から４に記載の二層ハニカム巻き鋼より線コイルによれば、従来と同寸法のハニカム巻きコイルでありながら、重量を重く（鋼より線の延長を長く）しているので、コイルの製作時には巻取りボビンの入れ替え回数が減少でき、またコイルの使用時には鋼より線の引き出しを良好に保ちながら、コイル替えの段取り回数を減らすことができ、作業の効率化を図ることができる。また、コイルの梱包資材を節減できるし、コイルの保管場所も省スペース化することができる。
【００２４】
また、本発明に係る請求項５から７に記載の二層ハニカム巻き鋼より線コイル巻取機によれば、ボビン回転数とトラバーサリングの往復動速度を調節して、任意に綾角の違うハニカム巻きコイルを巻取ることができるので、コイルの内側（下積層部）と外側（上積層部）で鋼より線の充填率の違うコイルを仕立てることができ、ひいては、鋼より線の引き出し性を良好にし、荷姿が同じでもコイル単重を大きくすることが可能となる。
【図面の簡単な説明】
【００２５】
【図１】本発明の実施するための形態に係る二層ハニカム巻き鋼より線コイルの模式的斜視図である。
【図２】図１における、外側のハニカム巻き一層を示す模式的正面図である。
【図３】図１における、内側のハニカム巻き一層を示す模式的正面図である。
【図４】本発明の実施するための形態に係る二層ハニカム巻き鋼より線コイル巻取機の模式図である。
【図５】図４のトラバーサ駆動機構を示す模式図である。
【図６】図５のトラバーサリングの軌跡を示す図であって、トラバーサリングの振幅と経過時間との関係を示すグラフで、（ａ）は、従来のタイプのクランクアームによるグラフであり、（ｂ）は、本発明のトラバーサ駆動機構によるグラフである。
【図７】本発明の実施するための形態に係る二層ハニカム巻き鋼より線コイルであって、コイルの保管状態を示す模式的正面図と平面図であって、（ａ）は、従来のコイルの図であり、（ｂ）は、本発明に係る二層ハニカム巻き鋼より線コイルの図である。
【発明を実施するための形態】
【００２６】
本発明に係る二層ハニカム巻き鋼より線コイル１は、通常、以下に説明する工程で作製する。原線材を酸洗いなどの前処理した後、伸線機で伸線加工し、所定本数の素線を撚線機でより（撚り）加工した後、熱処理を施して鋼より線をコイル状に巻き取る。次いで、鋼より線コイルから鋼より線を引き出し、本発明に係る二層ハニカム巻き鋼より線巻取機２０にて二層ハニカム巻き鋼より線コイル１を作製する。前記鋼より線としては、例えば鉄道のコンクリート枕木の緊張材として用いられる２．９ｍｍ径３本よりのＰＣ鋼より線がある。
【００２７】
図１、図２、図３に示すように、本発明に係る二層ハニカム巻き鋼より線コイル１は、鋼より線１１を巻いた内部が空洞のリールレスコイル１であって、上積層部と下積層部とで巻き方が異なっており、下積層部が、巻き間隔を密にしたハニカム巻き３であり、上積層部が、巻き間隔の粗いハニカム巻き２である。なお、鋼より線１１は、たとえば、２．９ｍｍφ鋼線を３本よったＰＣ鋼より線等がある。
【００２８】
図２に示すように、鋼より線１１と、コイル１の軸に直角な線と、のなす角は、綾角２−１といわれ、ハニカム巻き２は、綾角２−１が、大きくなって、鋼より線１１の巻き間隔が粗になっている。よって、巻き間隔が粗なハニカム巻きコイル２は、コイル２の厚みが薄くなった使用終盤においても、コイル２の束が転倒し、また、鋼より線１１がコイル２の束に挟まれることによって、引き出せなくなることがなく、鋼より線１１を引き出す作業を安定して続けることができる。よって、巻き間隔が粗なハニカム巻きコイル２は、使用終盤の鋼より線１１の引き出し作業を効率よくできる。なお、綾角２−１は、綾角４．９°〜１０°の範囲が、使用の終盤でもコイルの荷姿が崩れず、引き出し性も良好で、安定した引き出し作業に好適であることがわかった。
【００２９】
図３に示すように、巻き間隔が密なハニカム巻きコイル３は、綾角３−１が、小さくなって、鋼より線１１の巻き間隔が密になっている。よって、巻き間隔が密なハニカム巻きコイル３は、図２のコイル２に比べて同じ荷姿（外径、内径、幅）であれば、鋼より線１１の長さ（重さ）を大きくできる。なお、綾角３−１は、綾角０°〜４．８°が重量を大きくすることに好適で、かつ、使用の序盤と中盤において引出し性も良好である。
【００３０】
よって、本発明に係る二層ハニカム巻き鋼より線コイル１は、下積層部が、巻き間隔を密にしたハニカム巻き３であるので、重量を大きくすることができると共に、上積層部が、巻き間隔の粗いハニカム巻き２であるので、引き出し作業終盤でもコイル１の束が倒れたり、鋼より線１１がコイル１の束に挟まれることなく鋼より線１１の引き出し作業が円滑にできる。よって、同じ外形の従来コイルに比して本発明に係る二層ハニカム巻き鋼より線コイル１は、コイル単重が大きいので（線長が長い）、コイルの巻取り作業や引き出し作業において、段取り作業の回数が削減できて作業効率がよい。また、図７に示すように、逆に同じ長さ当たりや重量当たりのコイル１の数を減少させることができるので、コイル１の保管場所を省スペース化することができる。なお、上積層部２の重量が全体の５％〜３０％、残りが下積層部３の重量とすることが、コイル単重及び使用終盤の鋼より線の引出し性の観点から好適である。
【００３１】
次に、本発明に係る二層ハニカム巻き鋼より線コイル１の製造について説明する。本発明に係る二層ハニカム巻き鋼より線コイル１は、本発明に係る二層ハニカム巻き鋼より線巻取機２０によって作成される。図４に示すように、二層ハニカム巻き鋼より線巻取機２０は、鋼より線１１を巻取るために回転するボビン４０上で、通過する鋼より線１１を左右に綾振ってボビン４０上でハニカム形状に仕上げるトラバーサリング２１と、トラバーサリング２１を固接したトラバーサレバー２２と、トラバーサレバー２２を左右に揺動させるコンロッド２３を連結するカムフォロワー３２が連結されたクランクアーム３０と、クランクアーム３０を回転させるクランク軸３１と、クランク軸３１の回転速度を変速して伝動する変速機構（図示しない）と、該変速機構に回転を伝動させる回転駆動装置（図示しない）と、を少なくとも備えた二層ハニカム巻き鋼より線巻取機２０である。
【００３２】
また、二層ハニカム巻き鋼より線巻取機２０のトラバーサ駆動機構２０−１には、図５に示すように、クランクアーム３０にはスライダー部３０−１が設けてあり、コンロッド２３との連結点であるカムフォロワー３２が固定カム３４の菱型をかたどるカム溝３３内を嵌合して滑動すると同時にカムフォロワー３２がクランクアーム３０のスライダー部に嵌合して滑動する。そのカムフォロワー３２が、菱形形状のカム溝３３を辿ることによって、図６（ｂ）に示すように、トラバーサリング２１の綾振りの位置を経過時間に対して表しており、トラバーサリング２１が一定速度で左右に綾振りすることができると共に、両端の折り返し点でシャープに方向転換できている。
【００３３】
よって、綾振り速度が緩速で一定になっても、ハニカム巻きコイルの両端部に鋼より線が多く巻取られ配線されることによって発生するコイルの荷姿が中央部が凹んだ所謂「鼓型形状」となることを防止でき、綺麗な円柱形状のコイルに鋼より線を巻取ることができる。
【００３４】
また、二層ハニカム巻き鋼より線巻取機２０の回転駆動装置（図示しない）は、可変速の油圧又は電動の駆動モータの出力を二つに分割して、一つは回転ボビン４０を駆動し、他の一つは出力軸がクランク軸３１に繋がる前記変速機構の入力軸に連結されている。この機構により、ボビン４０の回転速度を一定にして、変速機構によりクランク軸３１の回転を早くして、トラバーサリング２１の綾振り速度を速くするとハニカム巻きコイル１の巻き間隔は粗くなり、遅くすると巻き間隔は密になる。また、トラバーサリング２１の綾振り速度を一定にして、ボビン４０の回転速度を速くすると、ハニカム巻きコイル１の巻き間隔は密になり、遅くすると巻き間隔は粗くなる。よって、ボビン４０の回転速度とトラバーサリング２１の綾振り速度を変えることによりハニカム巻きの巻き間隔を自由自在に変えることが可能となる。なお、変速機構は、例えばＶベルトと可変径プーリーとの組み合わせによって、回転速度を変化させることができる。
【００３５】
巻き間隔が密なハニカム巻きコイル３を作製しようとすれば、トラバーサリング２１の綾振り速度を緩速にする必要がある。また、巻き間隔が粗なハニカム巻きコイル２を作製しようとすれば、トラバーサリング２１の綾振り速度を急速にする必要がある。二層ハニカム巻き鋼より線巻取機２０には、駆動モータから変速機構を経てクランク軸３０に回転を伝えている。これによって、駆動モータの回転数を一定にしていても、変速機構によって回転数を変えることができるので、トラバーサリング２１の綾振り速度を変えることができる。よって、綾振り速度を変えることによって、コイル１の綾角２−１、３−１を変えることができるので、巻き間隔を密な状態から粗な状態に変化した二層ハニカム巻き鋼より線コイル１を作成することができる。
【００３６】
本発明に係る二層ハニカム巻き鋼より線コイル１は、前述したように二層ハニカム巻き鋼より線巻取機２０を用いて、２．９ｍｍ径鋼製３本より線１１をトラバーサリング２１に通して先端部をボビン４０に固定して、ボビン４０を回転させて巻取ってコイル１を作製していく。この際に、初めは、クランク軸３０の回転速度を変速機構によって緩速で回転させて綾振り速度を遅くし、全体量の８０％程度まで巻取って、巻き間隔の密な下積層部３を作製し、次に変速機構によって、クランク軸３０の回転速度を上げて綾振り速度を上げ、残りの２０％程度を巻取って、巻き間隔の粗な上積層部２を作製することにより、本発明に係る二層ハニカム巻き鋼より線コイル１を作製することができる。例えば、下積層部３では、トラバーサリング２１が、左から右に１回振る間に、ボビン４０を４回転させることができ、また、上積層部２では、同様にしてボビン４０を２．５回転させることができる。この際の綾角３−１は、約４．６°となり、綾角２−１は、約７．３°となる。
【００３７】
完成した二層ハニカム巻き鋼より線コイル１は、外径寸法が、外径約１，１００ｍｍ、内径約７５０ｍｍ、幅約７５０ｍｍが、従来の荷姿と同じなので、作製に用いる巻取機２０を、従来の巻取機２０を使用することができると共に、需要家も従来と同じ装置や治具を使用できるので好適である。なお、このときの重量は従来の略６７０ｋｇに比べて増加して略１ｔとなる。
【産業上の利用可能性】
【００３８】
鋼線または鋼より線の巻取りコイル及び巻取りコイルの作製する巻取機の分野で広く利用することができる。
【符号の説明】
【００３９】
１：二層ハニカム巻き鋼より線コイル
２：巻き間隔が粗なハニカム巻きコイル（上積層部）
２−１：綾角
３：巻き間隔が密なハニカム巻きコイル（下積層部）
３−１：綾角
１１：鋼より線
２０：二層ハニカム巻き鋼より線巻取機      ２０−１：トラバーサ駆動機構
２１：トラバーサリング                    
２２：トラバーサレバー
２２−１：力点                            ２２−２：支点  
２３：コンロッド        
３０：クランクアーム                      ３０−１：スライダー部
３１：クランク軸
３２：カムフォロア
３３：カム溝
３４：固定カム
４０：ボビン
【図１】
2016222427.tif 000003
【図２】
2016222427.tif 000004
【図３】
2016222427.tif 000005
【図４】
2016222427.tif 000006
【図５】
2016222427.tif 000007
【図６】
2016222427.tif 000008
【図７】
2016222427.tif 000009